(57)【特許請求の範囲】
【請求項１】
本体の一面に設けられた一つの出金口と、
前記一つの出金口に並列配置可能な複数のカルトンと、
前記一つの出金口に配置された前記複数のカルトンのうちの一のカルトンに硬貨を出金可能であり、機内の硬貨を一括して出金する一括回収処理時には前記一つの出金口に配置された前記複数のカルトンの全てに硬貨を出金可能な出金部とを備えることを特徴とする貨幣処理機。
【請求項２】
前記一つの出金口に配置された前記複数のカルトンを前記出金口に固定及び固定解除する固定部を更に備えることを特徴とする請求項１に記載の貨幣処理機。
【請求項３】
前記固定部は、
前記複数のカルトンのそれぞれに設けられたカルトン側磁性体と、
前記一つの出金口に配置された前記複数のカルトンの前記カルトン側磁性体のそれぞれと対向可能に前記出金口に設けられた出金口側磁石とを有し、
前記出金口側磁石は、対向する前記カルトン側磁性体を吸着する吸着状態と、該吸着状態を解除する吸着解除状態とに個別に切り替え可能であることを特徴とする請求項２に記載の貨幣処理機。
【請求項４】
前記カルトン側磁性体は、前記カルトンの前記出金口への挿入端側の面に設けられていることを特徴とする請求項３に記載の貨幣処理機。
【請求項５】
前記一つの出金口に配置された前記複数のカルトンのうち、前記出金部が硬貨を出金したカルトンの前記カルトン側磁性体に対向する前記出金口側磁石だけを前記吸着状態から前記吸着解除状態に切り替える制御部を更に備えることを特徴とする請求項３又は４に記載の貨幣処理機。
【請求項６】
前記カルトン側磁性体は、永久磁石であり、前記出金口側磁石は、電磁石であって、
前記制御部は、前記出金口側磁石を前記吸着状態から前記吸着解除状態に切り替える際に、該出金口側磁石を、該出金口側磁石に対向する前記カルトン側磁性体と反発し合うように制御することを特徴とする請求項５に記載の貨幣処理機。
【請求項７】
前記制御部は、前記出金口側磁石を前記吸着状態から前記吸着解除状態に切り替える際に、該出金口側磁石の磁力を、該出金口側磁石に対向する前記カルトン側磁性体を有する前記カルトンへの前記出金部の硬貨出金量に応じて制御することを特徴とする請求項６に記載の貨幣処理機。
【請求項８】
前記本体は、前記固定部による前記出金口への固定が解除されたカルトンを告知する告知部を有することを特徴とする請求項２乃至７の何れか一項に記載の貨幣処理機。
【請求項９】
前記出金口には、前記カルトンを載置可能な載置部に、前記カルトンとの摩擦を低減する摩擦低減部が設けられていることを特徴とする請求項１乃至８の何れか一項に記載の貨幣処理機。
【発明の詳細な説明】
【技術分野】
【０００１】
本発明は、カルトンに硬貨を出金する貨幣処理機に関する。
【背景技術】
【０００２】
金融機関等の窓口においては、二人の窓口係員（テラー）の間に硬貨出金機を一台配置して両者に共用させるのが一般的である。このような硬貨出金機は、出金口にカルトンが配置された後に、顧客対応時にテンキー等を有する操作卓がテラー等によって操作されると、指定の額の硬貨をカルトンに出金するようになっている。
【０００３】
しかしながら、従来の硬貨出金機は、例えば機体の前面に出金口が一つ形成され、その出金口に一つのカルトンが配置されているだけである。つまり、二人のテラーがそれぞれのカルトンを同時に配置することができない。したがって、一方のテラーが出金口にカルトンを配置している状態では、このカルトンを出金口から取り出さないと他方のテラーがカルトンを配置できないといった問題がある。
【０００４】
これに対して、特許文献１には、機体の前面の左右両側にそれぞれ一つずつ、合計二つの出金口を離間して設け、各出金口にそれぞれ一つずつのカルトンを配置可能とした硬貨出金機が開示されている。この硬貨出金機は、各テラー専用の出金口及びカルトンを有するので、二人のテラーがそれぞれのカルトンを同時に配置することができる。よって、一方のテラーが一方の出金口からカルトンを取り出さない状態にあっても、他方のテラーが他方の出金口にカルトンを配置することができ、配置したカルトンに硬貨を出金することができる。これにより、顧客対応時に行う通常出金処理の待機時間を短縮することができる。
【先行技術文献】
【特許文献】
【０００５】
【特許文献１】特公平８−７８０７号公報
【発明の概要】
【発明が解決しようとする課題】
【０００６】
ところで、貨幣処理機では、顧客対応時に行う通常出金処理とは別に、機内の硬貨を一括して出金する一括回収処理を行うことがある。この一括回収処理時には、硬貨がカルトンからこぼれ出ることを防止するために出金を複数回に分割して行う。この一括回収処理に通常出金処理に使用するカルトンを用いると、容量が少ないため、満杯となったカルトンの取り出し及び空にしたカルトンの再配置のための出金一時停止の合計時間が長くなり、処理時間が長くなってしまう。また、容量の大きなカルトンを用いることも可能であるが、このようなカルトンは、通常出金処理時には大き過ぎて使い勝手が悪い。また、大小二種類のカルトンを準備することも考えられるが、コスト増になってしまう。
【０００７】
したがって、本発明は、通常出金処理の待機時間及び一括回収処理の処理時間を短縮することができ、カルトンの使い勝手性低下及びコスト増を抑制可能な貨幣処理機の提供を目的とする。
【課題を解決するための手段】
【０００８】
上記目的を達成するために、請求項１に係る発明は、本体の一面に設けられた一つの出金口と、前記一つの出金口に並列配置可能な複数のカルトンと、前記一つの出金口に配置された前記複数のカルトンのうちの一のカルトンに硬貨を出金可能であり、機内の硬貨を一括して出金する一括回収処理時には前記一つの出金口に配置された前記複数のカルトンの全てに硬貨を出金可能な出金部とを備えることを特徴とする。
【０００９】
請求項２に係る発明は、請求項１に係る発明において、前記一つの出金口に配置された前記複数のカルトンを前記出金口に固定及び固定解除する固定部を更に備えることを特徴とする。
【００１０】
請求項３に係る発明は、請求項２に係る発明において、前記固定部は、前記複数のカルトンのそれぞれに設けられたカルトン側磁性体と、前記一つの出金口に配置された前記複数のカルトンの前記カルトン側磁性体のそれぞれと対向可能に前記出金口に設けられた出金口側磁石とを有し、前記出金口側磁石は、対向する前記カルトン側磁性体を吸着する吸着状態と、該吸着状態を解除する吸着解除状態とに個別に切り替え可能であることを特徴とする。
【００１１】
請求項４に係る発明は、請求項３に係る発明において、前記カルトン側磁性体は、前記カルトンの前記出金口への挿入端側の面に設けられていることを特徴とする。
【００１２】
請求項５に係る発明は、請求項３又は４に係る発明において、前記一つの出金口に配置された前記複数のカルトンのうち、前記出金部が硬貨を出金したカルトンの前記カルトン側磁性体に対向する前記出金口側磁石だけを前記吸着状態から前記吸着解除状態に切り替える制御部を更に備えることを特徴とする。
【００１３】
請求項６に係る発明は、請求項５に係る発明において、前記カルトン側磁性体は、永久磁石であり、前記出金口側磁石は、電磁石であって、前記制御部は、前記出金口側磁石を前記吸着状態から前記吸着解除状態に切り替える際に、該出金口側磁石を、該出金口側磁石に対向する前記カルトン側磁性体と反発し合うように制御することを特徴とする。
【００１４】
請求項７に係る発明は、請求項６に係る発明において、前記制御部は、前記出金口側磁石を前記吸着状態から前記吸着解除状態に切り替える際に、該出金口側磁石の磁力を、該出金口側磁石に対向する前記カルトン側磁性体を有する前記カルトンへの前記出金部の硬貨出金量に応じて制御することを特徴とする。
【００１５】
請求項８に係る発明は、請求項２乃至７の何れか一項に係る発明において、前記本体は、前記固定部による前記出金口への固定が解除されたカルトンを告知する告知部を有することを特徴とする。
【００１６】
請求項９に係る発明は、請求項１乃至８の何れか一項に係る発明において、前記出金口には、前記カルトンを載置可能な載置部に、前記カルトンとの摩擦を低減する摩擦低減部が設けられていることを特徴とする。
【発明の効果】
【００１７】
請求項１に係る発明によれば、本体の一面に設けられた一つの出金口に複数のカルトンを並列配置可能であり、出金部は、このように一つの出金口に並んで配置された複数のカルトンのうちの一のカルトンに硬貨を出金可能であるため、複数の操作者がそれぞれのカルトンを出金口に同時に配置することができる。よって、操作者は、通常出金処理時に他の操作者用のカルトンが出金口から取り出されるのを待機しなくても済むことから、出金処理の待機時間を短縮することができる。また、出金部は、一つの出金口に配置された複数のカルトンの全てに硬貨を出金可能であるため、機内の硬貨を一括して出金する一括回収処理時に、複数のカルトンに硬貨を出金することができる。その結果、満杯となったカルトンの取り出し及び空にしたカルトンの再配置のための出金一時停止の合計時間を短縮することができ、一括回収処理の処理時間を短縮することができる。また、顧客対応時に行う通常出金処理時に一つのカルトンに硬貨を出金し、機内の硬貨を一括して出金する一括回収処理時には複数のカルトンに硬貨を出金することで、通常出金処理時に使い勝手の悪い大きなカルトンを用いる必要がなくなり、大小二種類のカルトンを準備する必要もなくなる。よって、カルトンの使い勝手性低下及びコスト増を抑制することができる。また、本体の一面に設けられた一つの出金口に複数のカルトンが並列配置されるため、複数のカルトン間の距離を短くすることができ、各カルトンへの硬貨の振り分けに必要な距離を短縮することができる。よって、振り分けのための機構のコストを低減することができる。
【００１８】
請求項２に係る発明によれば、固定部が、一つの出金口に配置された複数のカルトンを出金口に固定及び固定解除するため、カルトンを出金口に固定すれば、その取り出しを規制することができる。
【００１９】
請求項３に係る発明によれば、固定部が、複数のカルトンのそれぞれに設けられたカルトン側磁性体と、一つの出金口に配置された複数のカルトンのカルトン側磁性体のそれぞれと対向可能に出金口に設けられた出金口側磁石とを有しており、出金口側磁石が、対向するカルトン側磁性体を吸着する吸着状態と、この吸着状態を解除する吸着解除状態とに個別に切り替え可能であるため、一つの出金口に配置された複数のカルトンを個別に固定及び固定解除することができる。よって、一方のカルトンを固定しつつ他方のカルトンの取り出しを許容することができる。しかも、カルトン側磁性体と出金口側磁石とを用いるため、構成が簡素になり、コスト増を抑制することができる。
【００２０】
請求項４に係る発明によれば、カルトン側磁性体が、カルトンの出金口への挿入端側の面に設けられているため、出金口側磁石を出金口の奥側に配置することができる。よって、機体の上下左右の大型化を抑制することができる。
【００２１】
請求項５に係る発明によれば、制御部が、一つの出金口に配置された複数のカルトンのうち、出金部が硬貨を出金したカルトンのカルトン側磁性体に対向する出金口側磁石だけを吸着状態から吸着解除状態に切り替えるため、硬貨が出金されたカルトンのみが取り出し可能となり、硬貨が出金されていないカルトンが誤って取り出されることを防止できる。
【００２２】
請求項６に係る発明によれば、制御部が、出金口側磁石を吸着状態から吸着解除状態に切り替える際に、この出金口側磁石を、この出金口側磁石に対向するカルトン側磁性体と反発し合うように制御するため、吸着解除状態になったカルトンを移動させることができる。したがって、硬貨が出金されたカルトンを操作者に認識させることができる。また、例えば、反発力の方向をカルトンの取り出し方向と一致させれば、吸着解除状態になったカルトンをその取り出し方向に移動させることができる。これにより、操作者はカルトンの取り出しが容易になる。
【００２３】
請求項７に係る発明によれば、制御部が、出金口側磁石を吸着状態から吸着解除状態に切り替える際に、この出金口側磁石の磁力を、この出金口側磁石に対向するカルトン側磁性体を有するカルトンへの出金部の硬貨出金量に応じて制御するため、例えば、出金量が多い場合に磁力を強くし、出金量が少ない場合に磁力を弱くすれば、カルトンの移動量のバラツキを抑制することができる。
【００２４】
請求項８に係る発明によれば、本体に設けられた告知部が、固定部による出金口への固定が解除されたカルトンを告知するため、取り出し可能なカルトンを操作者に認識させることができる。
【００２５】
請求項９に係る発明によれば、出金口の載置部に設けられた摩擦低減部が、カルトンとの摩擦を低減するため、操作者によるカルトンの配置及び取り出しが容易となる。
【図面の簡単な説明】
【００２６】
【図１】本発明に係る一実施形態の貨幣処理機を含む現金処理システムを示す正面図である。
【図２】本発明に係る一実施形態の貨幣処理機を含む現金処理システムの一部構成を示す制御系ブロック図である。
【図３】本発明に係る一実施形態の貨幣処理機を示す斜視図である。
【図４】本発明に係る一実施形態の貨幣処理機の要部を示す正面図である。
【図５】本発明に係る一実施形態の貨幣処理機の要部を示す側面図である。
【図６】本発明に係る一実施形態の貨幣処理機の要部を示す平面図である。
【図７】本発明に係る一実施形態の貨幣処理機の要部を示す平面図である。
【図８】本発明に係る一実施形態の貨幣処理機の出金先切替部の変更例を示す正面図である。
【図９】本発明に係る一実施形態の貨幣処理機のカルトンの変更例を示す平面図である。
【図１０】本発明に係る一実施形態の貨幣処理機の要部の変更例を示す平面図である。
【発明を実施するための形態】
【００２７】
本発明に係る一実施形態の貨幣処理機を図面を参照して以下に説明する。本実施形態の貨幣処理機は、金融機関の窓口に設置されて二名の窓口係員（テラー）によって使用されるものである。なお、以下の左右は窓口係員側から見た左右である。
【００２８】
本実施形態の貨幣処理機１０は、図１に示すように、左右二名の窓口係員Ａ，Ｂで一台が共用されるものであり、左右二名の窓口係員Ａ，Ｂに対して設けられた左右二カ所の窓口機１１Ａ，１１Ｂにインタフェースを介して接続されている。貨幣処理機１０は、窓口機１１Ａ，１１Ｂとで現金処理システム１２を構成している。
【００２９】
左側の窓口係員Ａ用の左側の窓口機１１Ａ及び右側の窓口係員Ｂ用の右側の窓口機１１Ｂは、いずれもパーソナルコンピュータ等からなるもので、左側の窓口機１１Ａは、左側の窓口係員Ａに対して設けられた左側のカウンタ１４Ａの上に設置され、右側の窓口機１１Ｂは、右側の窓口係員Ｂに対して設けられた右側のカウンタ１４Ｂの上に設置される。
【００３０】
これら窓口機１１Ａ，１１Ｂは、それぞれが、対応する窓口係員により操作入力が行われるキーボード等からなる窓口機操作部１５と、対応する窓口係員に対して表示を行う液晶モニタ等からなる窓口機表示部１６と、窓口機操作部１５からの信号に基づいて、窓口機表示部１６の表示画面を制御して入金指示信号及び出金指示信号等を貨幣処理機１０に送信する窓口機本体１７とを有している。窓口機本体１７は、各部を制御する図２に示す窓口機制御部１８を備えている。これら窓口機１１Ａ，１１Ｂは、他の図示略の窓口機と共に店舗内サーバ２０に接続されている。
【００３１】
図３に示すように、本実施形態の貨幣処理機１０は、処理機本体２１（本体）と、複数具体的には二つのカルトン２２Ａ，２２Ｂとを有している。カルトン２２Ａ，２２Ｂは、いずれも処理機本体２１とは別体であり、処理機本体２１に配置可能であって、処理機本体２１から取り出し可能である。カルトン２２Ａ，２２Ｂは同形状の共通部品であるが、説明の便宜上、左側の窓口係員Ａ用のものをカルトン２２Ａ、右側の窓口係員Ｂ用のものをカルトン２２Ｂとして区別して説明する。
【００３２】
処理機本体２１は、左側の窓口係員Ａ用の左側の処理機操作部２５Ａと、右側の窓口係員Ｂ用の右側の処理機操作部２５Ｂと、右側一カ所の処理機表示部２６と、機外から入金硬貨が投入される硬貨入金口３０とが上面に設けられている。硬貨入金口３０は、上部開口を閉塞する硬貨入金口シャッタ３１を有している。この硬貨入金口シャッタ３１は、待機状態では閉じられており、図２に示す硬貨入金口開閉駆動機構３２により駆動されて開閉される。
【００３３】
図３に示すように、処理機本体２１には、高さ方向の中央よりも上部側に機体の機体前面２１ａから後方に凹む形状の硬貨出金口３３（出金口）が設けられている。つまり、硬貨出金口３３は、処理機本体２１の一面である機体前面２１ａに設けられており、機体前面２１ａに開口して設けられている。硬貨出金口３３は、上側の天井部３４と、下側の載置部３５と、左側の壁部３６Ａと、右側の壁部３６Ｂとで形成されている。
【００３４】
そして、本実施形態では、この一つの硬貨出金口３３に、複数のカルトン２２Ａ，２２Ｂが左右に並列配置可能となっている。言い換えれば、一つの硬貨出金口３３に、複数のカルトン２２Ａ，２２Ｂが左右つまり横方向に並んだ状態に配置可能となっている。更に言い換えれば、一つの硬貨出金口３３に、複数のカルトン２２Ａ，２２Ｂが同時に配置された状態となることが可能となっている。硬貨出金口３３に配置された状態で、複数のカルトン２２Ａ，２２Ｂは、天井部３４の下側にあり、壁部３６Ａ，３６Ｂ間にあって、載置部３５上に載置される。
【００３５】
載置部３５には、その下地部分にポリテトラフルオロエチレン等のフッ素樹脂が塗布されてフッ素樹脂からなるコーティング層３７（摩擦低減部）が形成されており、載置部３５の上面は、このコーティング層３７の上面となっている。載置部３５の上面は、コーティング層３７を形成する前の下地部分よりも摩擦係数が低くなっている。よって、硬貨出金口３３には、カルトン２２Ａ，２２Ｂを載置可能な載置部３５に、カルトン２２Ａ，２２Ｂとの摩擦を低減するコーティング層３７が設けられている。
【００３６】
処理機本体２１は、その上部が、硬貨入金口３０及び硬貨出金口３３を含んで硬貨入出金部４０となっている。硬貨入出金部４０は、硬貨入金口３０に投入された硬貨を識別計数しつつ一時貯留し、一時貯留した硬貨を、窓口機１１Ａ，１１Ｂのうちの一方の窓口機操作部１５へ確定操作が入力されることで金種別に分けて収納する。また、硬貨入出金部４０は、窓口機１１Ａ，１１Ｂのうちの一方の窓口機操作部１５へ入力された出金指示に基づいて、金種別に分けて収納している硬貨を硬貨出金口３３に天井部３４の位置から出金する。出金された硬貨は、硬貨出金口３３に配置されたカルトン２２Ａ，２２Ｂに落下し、カルトン２２Ａ，２２Ｂに収容される。処理機本体２１においてカルトン２２Ａ，２２Ｂに硬貨を出金する部分は、この硬貨出金口３３の一カ所のみとなっている。
【００３７】
処理機本体２１には、硬貨出金口３３よりも下側に機体前方に突出する突出部４１が設けられており、この突出部４１の上面には、機外から入金紙幣が投入される紙幣入金口４２が設けられている。この紙幣入金口４２は、上部開口を閉塞する紙幣入金口シャッタ４３を有している。この紙幣入金口シャッタ４３は、待機状態では閉じられており、図２に示す紙幣入金口開閉駆動機構４４により駆動されて開閉される。
【００３８】
図３に示すように、突出部４１の上面には、紙幣入金口４２よりも前側に、機内から紙幣を出金させる紙幣出金口４５が設けられている。この紙幣出金口４５は、上部開口を閉塞する紙幣出金口シャッタ４６を有している。この紙幣出金口シャッタ４６は、待機状態では閉じられており、図２に示す紙幣出金口開閉駆動機構４７により駆動されて開閉される。紙幣出金口４５には、紙幣の有無を検知する図２に示す紙幣検知センサ４８が設けられている。
【００３９】
図３に示すように、処理機本体２１は、その突出部４１の位置に、紙幣入金口４２及び紙幣出金口４５を含んで紙幣入出金部４９が設けられている。紙幣入出金部４９は、紙幣入金口４２に投入された紙幣を識別計数しつつ一時貯留し、一時貯留した紙幣を、窓口機１１Ａ，１１Ｂのうちの一方の窓口機操作部１５へ確定操作が入力されることで収納する。また、紙幣入出金部４９は、窓口機１１Ａ，１１Ｂのうちの一方の窓口機操作部１５へ入力された出金指示に基づき、紙幣出金口シャッタ４６が閉じられた状態で、収納している紙幣を紙幣出金口４５内に繰り出し、その後、紙幣出金口シャッタ４６を開く。
【００４０】
硬貨入出金部４０は、図４及び図５に示す硬貨出金部５０（出金部）を有している。硬貨出金部５０は、入金された硬貨を金種別に分けて収納する硬貨収納部５１を有している。硬貨収納部５１は、それぞれが単一金種の硬貨を収納する複数具体的には六カ所の金種別の収納本体部５２ａ〜５２ｆを有している。収納本体部５２ａ〜５２ｆは処理機本体２１内で左右方向に並べられており、図５に収納本体部５２ｆを示すように、それぞれ底面を構成するベルトコンベア５４で硬貨を機体前方に前上がりに送る。収納本体部５２ａ〜５２ｆは、それぞれの空状態を検出する図２に示す空状態検知センサ５３を有している。
【００４１】
図４に示すように、硬貨出金部５０は、硬貨収納部５１に金種別に分けて収納された硬貨を金種別に計数しつつ出金する計数出金部５５を有している。計数出金部５５は、収納本体部５２ａ〜５２ｆのそれぞれに一対一で設けられており、対応する収納本体部５２ａ〜５２ｆに収納され収納本体部５２ａ〜５２ｆから機体前方に送られる硬貨を計数しつつ出金する複数の金種別の出金本体部５６ａ〜５６ｆを有している。図５に収納本体部５２ｆ及び出金本体部５６ｆを示すように、出金本体部５６ａ〜５６ｆは、収納本体部５２ａ〜５２ｆのそれぞれの前端位置に設けられている。図４に示す出金本体部５６ａは収納本体部５２ａに収納された硬貨を、出金本体部５６ｂは収納本体部５２ｂに収納された硬貨を、出金本体部５６ｃは収納本体部５２ｃに収納された硬貨を、出金本体部５６ｄは収納本体部５２ｄに収納された硬貨を、出金本体部５６ｅは収納本体部５２ｅに収納された硬貨を、出金本体部５６ｆは収納本体部５２ｆに収納された硬貨を、それぞれ出金する。出金本体部５６ａ〜５６ｆも処理機本体２１内で左右方向に並べられている。
【００４２】
硬貨出金部５０は、出金本体部５６ａ〜５６ｆから出金されて落下する硬貨を、硬貨出金口３３に配置された二つのカルトン２２Ａ，２２Ｂに振り分ける出金先切替部６１を有している。出金先切替部６１は、出金本体部５６ａ〜５６ｆから出金されて落下する硬貨を左右方向の中央に集める先細形状のガイド６２と、ガイド６２で集められた硬貨を支持軸６３を中心に左右に揺動して振り分ける筒状のシュート６４と、シュート６４を揺動させる図２に示す揺動駆動機構６５と、シュート６４の揺動位置を検出する図２に示す揺動位置センサ６６とを有している。シュート６４の下端は、硬貨出金口３３の天井部３４の近傍に配置されている。
【００４３】
出金先切替部６１は、図４に破線で示すようにシュート６４が左側に揺動した状態では、計数出金部５５が出金した硬貨を、硬貨出金口３３に左右に並んで設けられた二つのカルトン２２Ａ，２２Ｂのうちのカルトン２２Ａのみに落下させる。また、出金先切替部６１は、図４に二点鎖線で示すようにシュート６４が右側に揺動した状態では、計数出金部５５が出金した硬貨を二つのカルトン２２Ａ，２２Ｂのうちのカルトン２２Ｂのみに落下させる。更に、出金先切替部６１は、シュート６４が左側に揺動した状態で、計数出金部５５が出金した硬貨をカルトン２２Ａに落下させた後、揺動駆動機構６５がシュート６４を右側に揺動させて、計数出金部５５が出金した硬貨をカルトン２２Ｂに落下させたり、逆に、シュート６４が右側に揺動した状態で、計数出金部５５が出金した硬貨をカルトン２２Ｂに落下させた後、揺動駆動機構６５がシュート６４を左側に揺動させて、計数出金部５５が出金した硬貨をカルトン２２Ａに落下させたりする。つまり、硬貨出金部５０は、一つの硬貨出金口３３に配置された複数のカルトン２２Ａ，２２Ｂのうちの一のカルトンに硬貨を出金可能であり、一つの硬貨出金口３３に配置された複数のカルトン２２Ａ，２２Ｂの全てにも硬貨を出金可能である。
【００４４】
ここで、硬貨出金部５０が行う出金処理には、顧客対応時に上位機である窓口機１１Ａ，１１Ｂからの出金指示信号に基づいた金額の硬貨を硬貨収納部５１から出金する通常出金処理と、硬貨収納部５１内の硬貨を一括して全て出金する一括回収処理とがある。硬貨出金部５０は、出金指示信号に基づく金額の硬貨のみを硬貨収納部５１から出金する通常出金処理時に、一つの硬貨出金口３３に配置された複数のカルトン２２Ａ，２２Ｂのうちの選択された一つのみに硬貨を出金させる。この場合、カルトン２２Ａ，２２Ｂのいずれを選択することも可能である。また、硬貨出金部５０は、一括回収処理時に、一つの硬貨出金口３３に配置された複数のカルトン２２Ａ，２２Ｂの全てに硬貨を出金させる。
【００４５】
図６に示すように、処理機本体２１は、一つの硬貨出金口３３に配置された複数のカルトン２２Ａ，２２Ｂを硬貨出金口３３に固定及び固定解除する固定部７１を備えている。固定部７１は、複数のカルトン２２Ａ，２２Ｂのそれぞれに設けられたカルトン側磁性体７２Ａ，７２Ｂと、一つの硬貨出金口３３に配置された複数のカルトン２２Ａ，２２Ｂのカルトン側磁性体７２Ａ，７２Ｂのそれぞれと対向可能に一つの硬貨出金口３３に設けられた複数の出金口側磁石７３Ａ，７３Ｂとを有している。
【００４６】
カルトン２２Ａ，２２Ｂは、同一形状のものであり、いずれも、長方形板状の底部７５と、底部７５の全周縁部から上方に延出する長方形枠状の囲壁部７６とを有している。つまり、カルトン２２Ａ，２２Ｂは、平面視で矩形の長方形をなしている。
【００４７】
底部７５の囲壁部７６側の上面には、硬貨出金口３３への挿入方向を示す矢印形状の矢印表示部７７が底部７５の長さ方向と平行な方向を指し示すように設けられている。カルトン２２Ａには、囲壁部７６の矢印表示部７７が指し示す方向の端にある後面にカルトン側磁性体７２Ａが接合されている。カルトン２２Ｂにも、カルトン２２Ａと同様に、囲壁部７６の矢印表示部７７が指し示す方向の端にある後面にカルトン側磁性体７２Ｂが接合されている。窓口係員Ａはカルトン２２Ａを、窓口係員Ｂはカルトン２２Ｂを、それぞれ矢印表示部７７が指し示す方向が先となる姿勢で硬貨出金口３３に挿入する。すなわち、カルトン側磁性体７２Ａは、カルトン２２Ａの硬貨出金口３３への挿入端側の先端面に設けられており、カルトン側磁性体７２Ｂは、カルトン２２Ｂの硬貨出金口３３への挿入端側の先端面に設けられている。カルトン側磁性体７２Ａ，７２Ｂは、いずれも永久磁石である。
【００４８】
硬貨出金口３３の奥側の奥壁部３８には、硬貨出金口３３に配置されるカルトン２２Ａ，２２Ｂのうちの一方のカルトン２２Ａのカルトン側磁性体７２Ａと対向する位置に、出金口側磁石７３Ａが設けられている。また、硬貨出金口３３の奥壁部３８には、硬貨出金口３３に配置されるカルトン２２Ａ，２２Ｂのうちの他方のカルトン２２Ｂのカルトン側磁性体７２Ｂと対向する位置に、出金口側磁石７３Ｂが設けられている。出金口側磁石７３Ａ，７３Ｂはいずれも一時磁石である電磁石である。固定部７１は、出金口側磁石７３Ａを励磁及び励磁解除したり、励磁時に極性を反転させたりする図２に示す駆動回路８１Ａと、出金口側磁石７３Ｂを励磁及び励磁解除したり、励磁時に極性を反転させたりする図２に示す駆動回路８１Ｂとを有している。
【００４９】
図６に示す出金口側磁石７３Ａは、駆動回路８１Ａが正駆動されると、所定の極性になるように励磁され、対向するカルトン側磁性体７２Ａを吸着する吸着状態となる。吸着状態では、カルトン２２Ａの手動による硬貨出金口３３からの取り出しを不可とする強い吸着力で、出金口側磁石７３Ａとカルトン側磁性体７２Ａとが吸着し合う。また、出金口側磁石７３Ａは、駆動回路８１Ａの駆動が停止されて励磁が解除されると、上記吸着状態を解除して永久磁石からなるカルトン側磁性体７２Ａを上記吸着状態よりも弱い吸着力で吸着する待機用の吸着解除状態となる。待機用の吸着解除状態では、カルトン２２Ａの手動による取り出しを可能とする吸着力で、出金口側磁石７３Ａとカルトン側磁性体７２Ａとが吸着し合う。また、出金口側磁石７３Ａは、駆動回路８１Ａが逆駆動されると、それまでとは逆の極性になるように励磁され、永久磁石であるカルトン側磁性体７２Ａと反発し合う出金用の吸着解除状態となる。
【００５０】
同様に、出金口側磁石７３Ｂは、駆動回路８１Ｂが正駆動されると、所定の極性になるように励磁され、対向するカルトン側磁性体７２Ｂを吸着する吸着状態となる。吸着状態では、カルトン２２Ｂの手動による硬貨出金口３３からの取り出しを不可とする強い吸着力で、出金口側磁石７３Ｂとカルトン側磁性体７２Ｂとが吸着し合う。また、出金口側磁石７３Ｂは、駆動回路８１Ｂの駆動が停止されて励磁が解除されると、上記吸着状態を解除し永久磁石からなるカルトン側磁性体７２Ｂを上記吸着状態よりも弱い吸着力で吸着する待機用の吸着解除状態となる。待機用の吸着解除状態では、カルトン２２Ｂの手動による取り出しを可能とする吸着力で、出金口側磁石７３Ｂとカルトン側磁性体７２Ｂとが吸着し合う。また、出金口側磁石７３Ｂは、駆動回路８１Ｂが逆駆動されると、それまでとは逆の極性になるように励磁され、永久磁石であるカルトン側磁性体７２Ｂと反発し合う出金用の吸着解除状態となる。
【００５１】
つまり、出金口側磁石７３Ａ，７３Ｂは、カルトン側磁性体７２Ａ，７２Ｂの対向するものを強い吸着力で吸着する吸着状態と、この吸着状態よりも弱い吸着力で吸着して吸着状態を解除する待機用の吸着解除状態と、更に反発し合う出金用の吸着解除状態とに個別に切り替え可能となっている。
【００５２】
処理機本体２１には、一つの硬貨出金口３３に二つのカルトン２２Ａ，２２Ｂが配置された状態で、カルトン２２Ａを検知するセット検知センサ８３Ａとカルトン２２Ｂを検知するセット検知センサ８３Ｂとが硬貨出金口３３の壁部３６Ａ，３６Ｂ等の奥側に設けられている。セット検知センサ８３Ａ，８３Ｂは、例えば光学反射型のセンサであり、カルトンが硬貨出金口３３にセットされたことをカルトンからの反射光の検出で検知し、カルトンが硬貨出金口３３にセットされていないことを反射光が検出されないことで検知する。なお、セット検知センサ８３Ａ，８３Ｂは、硬貨出金口３３の奥側に設けられていれば良く、壁部３６Ａ，３６Ｂの他に、載置部３５及び天井部３４の奥側や奥壁部３８に設けられるようにしても良い。
【００５３】
硬貨出金口３３はその左右方向の幅がカルトン２２Ａの左右方向の幅とカルトン２２Ｂの左右方向の幅とを加算した値とほぼ同等となっている。よって、一つの硬貨出金口３３に二つのカルトン２２Ａ，２２Ｂが配置された状態では、カルトン２２Ａ，２２Ｂはいずれも硬貨出金口３３に対して左右方向にほぼ位置決めされた状態となる。矢印表示部７７の指し示す方向を奥側にして硬貨出金口３３の所定の位置決め位置（この位置を左セット位置と称す）にあるカルトン２２Ａをセット検知センサ８３Ａが検知し、矢印表示部７７の指し示す方向を奥側にして硬貨出金口３３の所定の位置決め位置（この位置を右セット位置と称す）にあるカルトン２２Ｂをセット検知センサ８３Ｂが検知する。
【００５４】
ここで、カルトン２２Ｂが硬貨出金口３３内になくても、カルトン２２Ａが左側の壁部３６Ａに近接するように配置されて左セット位置に位置すると、セット検知センサ８３Ａはカルトン２２Ａを検知する。同様に、カルトン２２Ａが硬貨出金口３３内になくても、カルトン２２Ｂが右側の壁部３６Ｂに近接するように配置されて右セット位置に位置すると、セット検知センサ８３Ｂはカルトン２２Ｂを検知する。つまり、セット検知センサ８３Ａは、カルトン２２Ａが硬貨出金口３３内の左セット位置に配置された場合に限り、カルトン２２Ａを検出し、セット検知センサ８３Ｂは、カルトン２２Ｂが硬貨出金口３３内の右セット位置に挿入された場合に限り、カルトン２２Ｂを検出する。
【００５５】
処理機本体２１には、硬貨出金口３３からカルトン２２Ａが取り出されたことを検知する取出検知センサ８５Ａと、硬貨出金口３３からカルトン２２Ｂが取り出されたことを検知する取出検知センサ８５Ｂとが、硬貨出金口３３の壁部３６Ａ，３６Ｂ等の開口側に設けられている。取出検知センサ８５Ａ，８５Ｂは、例えば光学反射型のセンサであり、カルトンが硬貨出金口３３から取り出されたことを反射光が検出されないことで検知し、カルトンが硬貨出金口３３にあることをカルトンからの反射光の検出で検知する。なお、取出検知センサ８５Ａ，８５Ｂは、硬貨出金口３３の開口側に設けられていれば良く、壁部３６Ａ，３６Ｂの他に、載置部３５及び天井部３４の開口側に設けられるようにしても良い。
【００５６】
左セット位置にセットされたカルトン２２Ａは、永久磁石であるカルトン側磁性体７２Ａが、励磁状態にない出金口側磁石７３Ａに手動で解除可能な程度の弱い吸着力で吸着された状態となる。同様に、右セット位置にセットされたカルトン２２Ｂは、永久磁石であるカルトン側磁性体７２Ｂが、励磁状態にない出金口側磁石７３Ｂに、手動で解除可能な程度の弱い吸着力で吸着された状態となる。
【００５７】
図１，図３，図４に示すように、処理機本体２１には、硬貨出金口３３のすぐ上の位置の機体前面２１ａに、点灯、点滅及び消灯が可能なＬＥＤランプ等のランプ８４Ａ，８４Ｂ（告知部）が設けられている。ランプ８４Ａは、左セット位置にセットされたカルトン２２Ａに一対一で対応することが明らかとなるように左セット位置にセットされたカルトン２２Ａと左右方向の位置を合わせて設けられている、同様に、ランプ８４Ｂは、右セット位置にセットされたカルトン２２Ｂと左右方向の位置を合わせて設けられている。
【００５８】
処理機本体２１の図２に示す処理機制御部９０（制御部）は、処理機操作部２５Ａ，２５Ｂ及び処理機表示部２６と、硬貨入出金部４０の硬貨入金口開閉駆動機構３２、空状態検知センサ５３、出金本体部５６ａ〜５６ｆ、揺動駆動機構６５、揺動位置センサ６６、駆動回路８１Ａ，８１Ｂ、セット検知センサ８３Ａ，８３Ｂ、ランプ８４Ａ，８４Ｂ及び取出検知センサ８５Ａ，８５Ｂと、紙幣入出金部４９の紙幣入金口開閉駆動機構４４、紙幣出金口開閉駆動機構４７及び紙幣検知センサ４８等に接続されている。
【００５９】
「通常出金処理」
二台の窓口機１１Ａ，１１Ｂのうちの一方からの出金指示に基づいて貨幣処理機１０が通常出金処理を行う際の流れを、左側の窓口係員Ａが、対応する左側の窓口機１１Ａに出金操作を行う場合を例にとり説明する。なお、右側の窓口係員Ｂが、対応する右側の窓口機１１Ｂに出金操作を行う場合は、以下の説明の左を右に、右を左に、ＡをＢに、ＢをＡに、それぞれ読み替えれば良い。
【００６０】
窓口係員Ａは、例えば、来店した顧客からカウンタ１４Ａ越しに受け取った出金伝票に基づいて、出金金額、科目、口座番号等の必要事項を窓口機１１Ａの窓口機操作部１５に操作入力する。すると、窓口機１１Ａの窓口機制御部１８は、出金金額に応じた各金種の硬貨及び紙幣の枚数である金種別明細枚数を含む出金用の出金指示信号を、インタフェースを介して処理機本体２１の処理機制御部９０へ出力する。例えば、窓口機１１Ａの窓口機操作部１５を介して１６８４７円の出金金額が入力されると、窓口機１１Ａの窓口機制御部１８は、万円券１枚、五千円券１枚、千円券１枚、五百円硬貨１枚、百円硬貨３枚、十円硬貨４枚、五円硬貨１枚、一円硬貨２枚の金種別明細枚数を含む出金用の出金指示信号を処理機本体２１の処理機制御部９０に出力する。
【００６１】
左側の窓口機１１Ａから出金用の出金指示信号を受けると、処理機本体２１の処理機制御部９０は、右側の窓口機１１Ｂの占有状態にないことを条件に、左側の窓口機１１Ａつまり左側の窓口係員Ａの占有状態、言い換えれば右側の窓口機１１Ｂからの各種指示信号を受け付けない状態となって、以下の通常出金処理を行う。このとき、処理機制御部９０は、出金指示を出力した窓口機の左右識別情報として、左側を示す識別情報を認識している。
【００６２】
左側の窓口機１１Ａの窓口係員Ａの占有状態になると、処理機本体２１の処理機制御部９０は、硬貨の出金がある場合には、揺動位置センサ６６の検知結果から、シュート６４が左側に揺動した状態にあるか否かを判定し、シュート６４が左側に揺動した状態にあれば、そのままとし、シュート６４が左側に揺動した状態になければ、揺動駆動機構６５によりシュート６４を左側に揺動した状態とする。
【００６３】
また、左側の窓口機１１Ａの占有状態になると、処理機制御部９０は、硬貨の出金がある場合には、セット検知センサ８３Ａの検知結果からカルトン２２Ａが硬貨出金口３３内の左セット位置に配置されているか否かを判定する。処理機制御部９０は、カルトン２２Ａが硬貨出金口３３内の左セット位置に配置されていなければ、硬貨出金口３３の左セット位置へのカルトン２２Ａの配置を促す表示を、処理機表示部２６及び左側の窓口機１１Ａの窓口機表示部１６に表示させ、更に、それまで消灯状態にあった左側のランプ８４Ａを例えば赤色で点滅させて硬貨出金口３３の左セット位置へのカルトン２２Ａの配置が必要な状態にあることを告知して待機する。
【００６４】
ここで、カルトン２２Ａが左セット位置に配置されると、その時点で出金口側磁石７３Ａは、待機用の吸着解除状態にあることから、カルトン２２Ａの手動による取り出しを可能とする弱い吸着力で永久磁石であるカルトン側磁性体７２Ａを吸着する。セット検知センサ８３Ａがカルトン２２Ａが左セット位置に配置されていることを検知した状態では、処理機制御部９０が左側のランプ８４Ａを例えば緑色の点灯状態とする。
【００６５】
セット検知センサ８３Ａの検知結果からカルトン２２Ａが左セット位置に配置されていることを検知すると、処理機制御部９０は、固定部７１によりカルトン２２Ａを硬貨出金口３３の左セット位置に固定する。つまり、駆動回路８１Ａを正駆動して出金口側磁石７３Ａを所定の極性になるように励磁し、これにより、出金口側磁石７３Ａが、対向するカルトン側磁性体７２Ａを吸着する吸着状態となる。出金口側磁石７３Ａは、吸着状態では、カルトン２２Ａの手動による取り出しを不可とする強い吸着力でカルトン側磁性体７２Ａを吸着する。これにより、カルトン２２Ａが硬貨出金口３３の左セット位置に固定された状態になる。処理機制御部９０は、固定部７１によりカルトン２２Ａを硬貨出金口３３の左セット位置に固定すると、左側のランプ８４Ａを例えば赤色の点灯状態とする。
【００６６】
処理機制御部９０は、固定部７１によりカルトン２２Ａを左セット位置に固定した後、前述した出金用の出金指示信号の出金金額の金種別明細枚数に応じて、硬貨収納部５１の収納本体部５２ａ〜５２ｆから各々金種別に指示枚数分の硬貨を計数出金部５５の出金本体部５６ａ〜５６ｆで計数しつつ繰り出して、出金先切替部６１のガイド６２から左側に揺動した状態にあるシュート６４を介してカルトン２２Ａ内に収容する硬貨出金動作を行う。また、これと並行して、前述した出金用の出金指示信号の出金金額の金種別明細枚数に応じて、紙幣入出金部４９の図示略の金種別のスタッカから各々金種別に指示枚数分の紙幣を１枚ずつ繰り出して、出金判別部を含む搬送路を経由して、紙幣出金口シャッタ４６が閉状態とされた紙幣出金口４５への搬送動作を行い、１枚ずつ搬送された紙幣を最終搬送部の紙幣出金口４５内にて集積させる紙幣出金動作を行う。
【００６７】
前述した出金用の出金指示信号の出金金額の金種別明細枚数に応じた硬貨が正常にすべてカルトン２２Ａに放出されて硬貨出金動作が終了すると、処理機制御部９０は、固定部７１によるカルトン２２Ａの硬貨出金口３３への固定を解除する。つまり、処理機制御部９０は、駆動回路８１Ａを逆駆動して、出金口側磁石７３Ａをそれまでとは逆の極性になるように励磁し、出金口側磁石７３Ａを、対向する永久磁石であるカルトン側磁性体７２Ａと反発し合う出金用の吸着解除状態とする。言い換えれば、処理機制御部９０は、出金口側磁石７３Ａを吸着状態から出金用の吸着解除状態に切り替える際に、出金口側磁石７３Ａを、出金口側磁石７３Ａに対向するカルトン側磁性体７２Ａと反発し合うように制御する。
【００６８】
出金口側磁石７３Ａが吸着状態から出金用の吸着解除状態に切り替えられると、カルトン２２Ａは、図７に示すように、出金口側磁石７３Ａとカルトン側磁性体７２Ａとの反発力で機体前方に向けて所定量押し出される。これにより、セット検知センサ８３Ａがカルトン２２Ａを検知しない状態になる。このとき、取出検知センサ８５Ａはカルトン２２Ａを検知している状態を維持する。
【００６９】
このように出金口側磁石７３Ａを吸着状態から出金用の吸着解除状態に切り替える際に、処理機制御部９０は、出金用の出金指示信号の出金金額の金種別明細枚数に応じてカルトン２２Ａに収容された硬貨の重量を算出し、この重量に応じて、重量が重ければ反発力が大きくなり、重量が軽ければ反発力が小さくなるように出金口側磁石７３Ａの磁力を制御する。つまり、処理機制御部９０は、出金口側磁石７３Ａを吸着状態から出金用の吸着解除状態に切り替える際に、出金口側磁石７３Ａの磁力を、出金口側磁石７３Ａに対向するカルトン側磁性体７２Ａを有するカルトン２２Ａへの硬貨出金部５０の硬貨出金量に応じて制御する。これにより、カルトン２２Ａは、出金された硬貨の量によらず、ほぼ一定位置まで硬貨出金口３３から押し出される。
【００７０】
また、上記のように固定部７１によるカルトン２２Ａの硬貨出金口３３への固定を解除すると、処理機制御部９０は、硬貨の受け取りを促す表示を、処理機表示部２６及び左側の窓口機１１Ａの窓口機表示部１６に表示させ、更に、それまで赤色の点灯状態にあった左側のランプ８４Ａを例えば緑色に点滅させて、左側のカルトン２２Ａが、固定部７１による硬貨出金口３３へ固定が解除されて取り出し可能であることを告知する。左側のカルトン２２Ａが、硬貨出金口３３から取り出されたことを取出検知センサ８５Ａが検知すると、処理機制御部９０は、左側のランプ８４Ａを消灯させる。
【００７１】
他方で、前述した出金用の出金指示信号の出金金額の金種別明細枚数に応じた紙幣が正常にすべて紙幣出金口４５内にて集積されて紙幣出金動作が終了すると、処理機制御部９０は、紙幣出金口４５の紙幣出金口シャッタ４６を紙幣出金口開閉駆動機構４７により開けさせる共に、紙幣の受け取りを促す表示を、処理機表示部２６及び左側の窓口機１１Ａの窓口機表示部１６に表示させる。これにより、紙幣出金口４５の紙幣が受け取り可能となり、紙幣出金口４５の紙幣が取り出される。紙幣出金口４５の紙幣が取り出されたことが紙幣検知センサ４８により検知されると、処理機制御部９０は、紙幣出金口４５の紙幣出金口シャッタ４６を紙幣出金口開閉駆動機構４７によって閉じさせる。
【００７２】
カルトン２２Ａが硬貨出金口３３から取り出されたことが取出検知センサ８５Ａにより検知され、且つ、紙幣出金口４５の紙幣が取り出されたことが紙幣検知センサ４８により検知されると、処理機制御部９０は、左側の窓口機１１Ａつまり左側の窓口係員Ａの占有状態を解除する。
【００７３】
ここで、上記のように左側の窓口機１１Ａの占有状態になると、処理機本体２１の処理機制御部９０は、硬貨の出金がある場合には、左側の窓口機１１Ａの占有状態を解除するまで、セット検知センサ８３Ｂの検知結果からカルトン２２Ｂが硬貨出金口３３内の右セット位置に配置されているか否かを監視している。カルトン２２Ｂが右セット位置に配置されると、その時点で出金口側磁石７３Ｂは、待機用の吸着解除状態にあることから、カルトン２２Ｂの手動による取り出しを可能とする弱い吸着力でカルトン側磁性体７２Ｂを吸着する。
【００７４】
カルトン２２Ｂが硬貨出金口３３の右セット位置に配置されていることを検知すると、処理機制御部９０は、それまで消灯状態にあった右側のランプ８４Ｂを緑色で点灯させてカルトン２２Ｂが硬貨出金口３３の右セット位置に配置されていることを告知すると共に、固定部７１によりカルトン２２Ｂを硬貨出金口３３の右セット位置に固定する。つまり、駆動回路８１Ｂを正駆動して出金口側磁石７３Ｂを所定の極性になるように励磁し、これにより、出金口側磁石７３Ｂが、対向するカルトン側磁性体７２Ｂを吸着する吸着状態となる。吸着状態では、出金口側磁石７３Ｂが、カルトン２２Ｂの手動による取り出しを不可とする強い吸着力でカルトン側磁性体７２Ｂを吸着する。これにより、カルトン２２Ｂが硬貨出金口３３の右セット位置に固定された状態になる。そして、処理機制御部９０は、右側のランプ８４Ｂを赤色で点灯させてカルトン２２Ｂが硬貨出金口３３の右セット位置に固定されていることを告知する。
【００７５】
上記したように、出金用の出金指示信号の出金金額の金種別明細枚数に応じた硬貨が正常にすべてカルトン２２Ａに放出されて硬貨出金動作が終了すると、処理機制御部９０は、固定部７１によりカルトン２２Ａの硬貨出金口３３への固定を解除するが、このとき、固定部７１によりカルトン２２Ｂが硬貨出金口３３の右セット位置へ固定されていると、この固定を維持する。つまり、駆動回路８１Ａを逆駆動して、出金口側磁石７３Ａをそれまでとは逆の極性になるように励磁する一方で、駆動回路８１Ｂについてはこれを正駆動し続けて、出金口側磁石７３Ｂが、対向するカルトン側磁性体７２Ｂを強く吸着する吸着状態を維持する。
【００７６】
つまり、処理機制御部９０は、一つの硬貨出金口３３に配置された複数のカルトン２２Ａ，２２Ｂのうち、硬貨出金部５０が硬貨を出金したカルトン２２Ａのカルトン側磁性体７２Ａに対向する出金口側磁石７３Ａだけを吸着状態から出金用の吸着解除状態に切り替える。これにより、出金口側磁石７３Ａとカルトン側磁性体７２Ａとの反発力でカルトン２２Ａが押し出される際にカルトン２２Ｂが動いてしまったり、硬貨出金口３３からカルトン２２Ａが取り出される際にカルトン２２Ｂが動いてしまったりすることを防止できる。よって、右側のカルトン２２Ｂを右セット位置に戻す等の余計な作業がなくなるため、左側のカルトン２２Ａを取り出す作業の作業性が良くなる。また、このとき、左側のランプ８４Ａは緑色で点滅し、右側のランプ８４Ｂは赤色で点灯して、カルトン２２Ａ，２２Ｂのうちの左側のカルトン２２Ａのみが取り出し可能であることを告知しているため、左側のカルトン２２Ａが良好に取り出される。
【００７７】
更に、上記のように硬貨出金動作及び紙幣出金動作が終了した後、カルトン２２Ａが硬貨出金口３３から取り出されたことが取出検知センサ８５Ａにより検知され、且つ、紙幣出金口４５の紙幣が取り出されたことが紙幣検知センサ４８により検知されると、処理機制御部９０は、左側の窓口機１１Ａつまり左側の窓口係員Ａの占有状態を解除すると共に、固定部７１によりカルトン２２Ｂの硬貨出金口３３の右セット位置への固定を解除する。つまり、駆動回路８１Ｂの駆動を停止して、出金口側磁石７３Ｂの励磁を解除する。すると、出金口側磁石７３Ｂが、永久磁石であるカルトン側磁性体７２Ｂと弱く吸着し合う待機用の吸着解除状態になる。このとき、カルトン２２Ｂは硬貨出金口３３への固定は解除されるものの、右セット位置に配置されており、セット検知センサ８３Ｂがカルトン２２Ｂを検知しているため、処理機制御部９０は、ランプ８４Ｂの緑色の点灯状態を維持する。
【００７８】
「一括回収処理」
二台の窓口機１１Ａ，１１Ｂのうちの一方の窓口機操作部１５への操作入力或いは貨幣処理機１０の処理機操作部２５Ａ，２５Ｂのうちの一方への操作入力で、一括回収処理の指示信号を処理機制御部９０が受けると、処理機制御部９０は、貨幣処理機１０の硬貨収納部５１の全ての硬貨を機外に出金する一括回収処理を行う。
【００７９】
一括回収処理を開始すると、処理機制御部９０は、まず、セット検知センサ８３Ａの検知結果からカルトン２２Ａが硬貨出金口３３内の左セット位置に配置されているか否かを判定すると共に、セット検知センサ８３Ｂの検知結果からカルトン２２Ｂが硬貨出金口３３内の右セット位置に配置されているか否かを判定する。カルトン２２Ａが左セット位置に配置された状態になければ、硬貨出金口３３の左セット位置へのカルトン２２Ａの配置を促す表示を、処理機表示部２６及び窓口機１１Ａ，１１Ｂのそれぞれの窓口機表示部１６に表示させ、更に、それまで消灯状態にあった左側のランプ８４Ａを赤色で点滅させて硬貨出金口３３の左セット位置へのカルトン２２Ａの配置が必要な状態にあることを告知して待機する。また、カルトン２２Ｂが右セット位置に配置された状態になければ、硬貨出金口３３の右セット位置へのカルトン２２Ｂの配置を促す表示を、処理機表示部２６及び窓口機１１Ａ，１１Ｂのそれぞれの窓口機表示部１６に表示させ、更に、それまで消灯状態にあった右側のランプ８４Ｂを赤色で点滅させて硬貨出金口３３の右セット位置へのカルトン２２Ｂの配置が必要な状態にあることを告知して待機する。
【００８０】
ここでも、カルトン２２Ａが左セット位置に配置されると、弱い吸着力で出金口側磁石７３Ａとカルトン側磁性体７２Ａとが吸着し合い、カルトン２２Ｂが右セット位置に配置されると、弱い吸着力で出金口側磁石７３Ｂとカルトン側磁性体７２Ｂとが吸着し合う。処理機制御部９０は、セット検知センサ８３Ａがカルトン２２Ａが左セット位置に配置されていることを検知した状態では、左側のランプ８４Ａを緑色で点灯させ、セット検知センサ８３Ｂがカルトン２２Ｂが右セット位置に配置されていることを検知した状態では、右側のランプ８４Ｂを緑色で点灯させる。
【００８１】
セット検知センサ８３Ａ，８３Ｂでカルトン２２Ａが左セット位置に配置され且つカルトン２２Ｂが右セット位置に配置されていることを検知すると、処理機制御部９０は、固定部７１によって、カルトン２２Ａを硬貨出金口３３の左セット位置に、カルトン２２Ｂを右セット位置に固定する。つまり、駆動回路８１Ａ，８１Ｂの両方を正駆動することにより、出金口側磁石７３Ａが対向するカルトン側磁性体７２Ａを、出金口側磁石７３Ｂが対向するカルトン側磁性体７２Ｂを、それぞれ吸着する吸着状態となる。これにより、カルトン２２Ａ，２２Ｂの両方が硬貨出金口３３に固定された状態になる。処理機制御部９０は、固定部７１によりカルトン２２Ａ，２２Ｂを共に硬貨出金口３３に固定すると、左側のランプ８４Ａを赤色で点灯させてカルトン２２Ａが左セット位置に固定されていることを告知すると共に、右側のランプ８４Ｂを赤色で点灯させてカルトン２２Ｂが右セット位置に固定されていることを告知する。ここでは、カルトン２２Ａ，２２Ｂの両方が硬貨出金口３３のセット位置に配置されている場合に、これらを硬貨出金口３３に固定するようにしたが、セット位置への配置が検出されたものから順に硬貨出金口３３に固定するようにしても良い。
【００８２】
処理機制御部９０は、固定部７１によりカルトン２２Ａ，２２Ｂの両方を硬貨出金口３３に固定した後、硬貨収納部５１の収納本体部５２ａ〜５２ｆから硬貨を、計数出金部５５の出金本体部５６ａ〜５６ｆで適宜の順に計数しつつ繰り出して、出金先切替部６１のガイド６２からシュート６４を介して、その時点でシュート６４が指向しているカルトン２２Ａ，２２Ｂのうちの一方を収容先として収容する硬貨出金動作を行う。このとき、繰り出した金種と枚数とから、カルトン２２Ａ，２２Ｂの収容先となる一方に、溢れることなく収容可能な最大量の硬貨を繰り出したと判定すると、処理機制御部９０は、計数出金部５５の出金本体部５６ａ〜５６ｆによる硬貨の繰り出しを一旦停止して、揺動駆動機構６５によりシュート６４を逆側に揺動した状態に切り替える。
【００８３】
そして、再び硬貨収納部５１の収納本体部５２ａ〜５２ｆから硬貨を、計数出金部５５の出金本体部５６ａ〜５６ｆで適宜の順に計数しつつ繰り出して、出金先切替部６１のガイド６２からシュート６４を介して、その時点でシュート６４が指向しているカルトン２２Ａ，２２Ｂの他方を収容先として収容する硬貨出金動作を行う。このとき、繰り出した金種と枚数とから、カルトン２２Ａ，２２Ｂの収容先となる他方に、溢れることなく収容可能な最大量の硬貨を繰り出したと判定すると、処理機制御部９０は、計数出金部５５の出金本体部５６ａ〜５６ｆによる硬貨の繰り出しを一旦停止して、固定部７１によりカルトン２２Ａ，２２Ｂの硬貨出金口３３への固定を解除する。つまり、処理機制御部９０は、駆動回路８１Ａ，８１Ｂを共に逆駆動して、出金口側磁石７３Ａ，７３Ｂをそれまでとは逆の極性になるように励磁し、これにより、出金口側磁石７３Ａ，７３Ｂが永久磁石であるカルトン側磁性体７２Ａ，７２Ｂと反発し合う出金用の吸着解除状態となる。
【００８４】
吸着状態から出金用の吸着解除状態に切り替えられると、カルトン２２Ａは、出金口側磁石７３Ａとカルトン側磁性体７２Ａとの反発力で機体前方に向けて所定量押し出され、カルトン２２Ｂも、出金口側磁石７３Ｂとカルトン側磁性体７２Ｂとの反発力で機体前方に向けて所定量押し出される。これにより、セット検知センサ８３Ａ，８３Ｂがカルトン２２Ａ，２２Ｂを検知しない状態になる一方、取出検知センサ８５Ａがカルトン２２Ａを検知し且つ取出検知センサ８５Ｂがカルトン２２Ｂを検知している状態を維持する。このときも、処理機制御部９０は、カルトン２２Ａ，２２Ｂに収容された硬貨の重量を算出し、この重量に応じて、重量が重ければ反発力が大きくなり、重量が軽ければ反発力が小さくなるように出金口側磁石７３Ａ，７３Ｂの磁力を制御する。
【００８５】
固定部７１によりカルトン２２Ａ，２２Ｂの硬貨出金口３３への固定を解除すると、処理機制御部９０は、処理機本体２１の処理機表示部２６及び窓口機１１Ａ，１１Ｂのそれぞれの窓口機表示部１６に硬貨の取り出しを促す表示を表示させると共に、それまで赤色の点灯状態にあったランプ８４Ａ，８４Ｂを緑色で点滅させて、カルトン２２Ａ，２２Ｂが、固定部７１による硬貨出金口３３へ固定が解除されて取り出し可能であることを告知する。
【００８６】
処理機制御部９０は、取出検知センサ８５Ａでカルトン２２Ａが硬貨出金口３３から取り出されたことが検知されると、ランプ８４Ａを消灯させ、取出検知センサ８５Ｂでカルトン２２Ｂが硬貨出金口３３から取り出されたことが検知されると、ランプ８４Ｂを消灯させる。取出検知センサ８５Ａ，８４Ｂでカルトン２２Ａ，２２Ｂが共に硬貨出金口３３から取り出されたことが検知されると、処理機制御部９０は、硬貨収納部５１の収納本体部５２ａ〜５２ｆに硬貨が残っているか否かをそれぞれの空状態検知センサ５３で検出し、収納本体部５２ａ〜５２ｆの何れかに硬貨が残っていれば、以上を繰り返す。処理機制御部９０は、一括回収処理中に、硬貨収納部５１の収納本体部５２ａ〜５２ｆのいずれにも硬貨が残っていないことが検出された状態になると、一括回収処理を終了する。
【００８７】
つまり、上記の一括回収処理では、複数のカルトン２２Ａ，２２Ｂが硬貨出金口３３に並んで配置されると、これらカルトン２２Ａ，２２Ｂを硬貨出金口３３に固定して、これらカルトン２２Ａ，２２Ｂの全てに硬貨を出金し、その後、これらカルトン２２Ａ，２２Ｂの硬貨出金口３３への固定を解除する。そして、これらカルトン２２Ａ，２２Ｂが取り出された後、硬貨出金口３３に並んで再配置されると、これらカルトン２２Ａ，２２Ｂを硬貨出金口３３に固定して、これらカルトン２２Ａ，２２Ｂの全てに硬貨を出金し、その後、これらカルトン２２Ａ，２２Ｂの硬貨出金口３３への固定を解除する。このような処理を、硬貨収納部５１に硬貨がなくなるまで適宜繰り返す。なお、カルトン２２Ａ，２２Ｂが取り出された後の再配置の際に、取り出されたものとは別に用意されたカルトン２２Ａ，２２Ｂを硬貨出金口３３に配置するようにしても良い。
【００８８】
以上に述べた本実施形態の貨幣処理機１０によれば、処理機本体２１の一面である機体前面２１ａに設けられた一つの硬貨出金口３３に複数のカルトン２２Ａ，２２Ｂを並列配置可能であり、硬貨出金部５０は、このように一つの硬貨出金口３３に並んで配置された複数のカルトン２２Ａ，２２Ｂのうちの一のカルトンに選択的に硬貨を出金可能であるため、複数の操作者がそれぞれのカルトン２２Ａ，２２Ｂを硬貨出金口３３に同時に配置することができる。よって、操作者は、一の出金処理である通常出金処理時に他の操作者用のカルトンが硬貨出金口３３から取り出されるのを待機しなくても済むことから、通常出金処理の待機時間を短縮することができる。
【００８９】
また、硬貨出金部５０は、一つの硬貨出金口３３に並んで配置された複数のカルトン２２Ａ，２２Ｂの全てに硬貨を出金可能であるため、機内の硬貨を一括して出金する一の出金処理である一括回収処理時に、複数のカルトン２２Ａ，２２Ｂに硬貨を出金することができる。その結果、満杯となったカルトン２２Ａ，２２Ｂの取り出し及び空にしたカルトン２２Ａ，２２Ｂの再配置のための出金一時停止の合計時間が短くなり、一括回収処理の処理時間を短縮することができる。
【００９０】
また、顧客対応時に行う通常出金処理時にカルトン２２Ａ，２２Ｂの一つに硬貨を出金し、機内の硬貨を一括して出金する一括回収処理時には複数のカルトン２２Ａ，２２Ｂに硬貨を出金することで、通常出金処理時に使い勝手の悪い大きなカルトンを用いる必要がなくなり、大小二種類のカルトンを準備する必要もなくなる。よって、カルトン２２Ａ，２２Ｂの使い勝手性低下及びコスト増を抑制することができる。
【００９１】
また、処理機本体２１の一面である機体前面１２ａに設けられた一つの硬貨出金口３３に複数のカルトン２２Ａ，２２Ｂが並列配置されるため、複数のカルトン２２Ａ，２２Ｂ間の距離を短くすることができ、各カルトン２２Ａ，２２Ｂへの硬貨の振り分けに必要な距離を短縮することができる。よって、振り分けのための機構のコストを低減することができる。
【００９２】
また、固定部７１が、一つの硬貨出金口３３に配置された複数のカルトン２２Ａ，２２Ｂを硬貨出金口３３に固定及び固定解除するため、カルトン２２Ａ，２２Ｂを硬貨出金口３３に固定すれば、出金中等においてカルトン２２Ａ，２２Ｂが誤って取り出されてしまうことを規制できる。
【００９３】
また、固定部７１が、複数のカルトン２２Ａ，２２Ｂのそれぞれに設けられたカルトン側磁性体７２Ａ，７２Ｂと、一つの硬貨出金口３３に配置される複数のカルトン２２Ａ，２２Ｂのカルトン側磁性体７２Ａ，７２Ｂのそれぞれと対向可能に硬貨出金口３３に設けられた出金口側磁石７３Ａ，７３Ｂとを有しており、出金口側磁石７３Ａ，７３Ｂが、対向するカルトン側磁性体７２Ａ，７２Ｂを強い吸着力で吸着する吸着状態と、この吸着状態よりも弱い吸着力で吸着して吸着状態を解除する吸着解除状態とに個別に切り替え可能であるため、一つの硬貨出金口３３に配置される複数のカルトン２２Ａ，２２Ｂを個別に固定及び固定解除可能となる。よって、カルトン２２Ａ，２２Ｂのうちの一方が取り出されてしまうことを規制する一方で、他方の取り出しを許容することができる。その結果、操作者が一つの硬貨出金口３３に配置されている複数のカルトン２２Ａ，２２Ｂのうち、取り出し可能な一のカルトンを取り出す際に、このカルトンだけを良好に取り出すことができ、作業性が良い。しかも、カルトン側磁性体７２Ａ，７２Ｂと出金口側磁石７３Ａ，７３Ｂとを用いるため、構成が簡素になり、コスト増を抑制することができる。
【００９４】
また、カルトン側磁性体７２Ａ，７２Ｂが、カルトン２２Ａ，２２Ｂの硬貨出金口３３への挿入端側の先端面に設けられているため、出金口側磁石７３Ａ，７３Ｂを硬貨出金口３３の奥側に配置することができる。よって、機体の上下左右の大型化を抑制することができる。
【００９５】
また、処理機制御部９０が、一つの硬貨出金口３３に配置された複数のカルトン２２Ａ，２２Ｂのうちの硬貨出金部５０が硬貨を出金した一方に設けられたカルトン側磁性体に対向する出金口側磁石だけを吸着状態から吸着解除状態に切り替えるため、カルトン２２Ａ，２２Ｂのうちの硬貨が出金されたカルトンのみが取り出し可能となり、硬貨が出金されていないカルトンが、誤って取り出されたり、硬貨が出金されたカルトンと共に動いてしまうことを防止できる。
【００９６】
また、処理機制御部９０が、カルトン２２Ａ，２２Ｂへの出金時には、出金口側磁石７３Ａ，７３Ｂを、対向するカルトン側磁性体７２Ａ，７２Ｂと吸着し合うように正駆動して吸着状態とする一方、出金口側磁石７３Ａ，７３Ｂを吸着状態から吸着解除状態に切り替える際に出金口側磁石７３Ａ，７３Ｂを逆駆動して、対向するカルトン側磁性体７２Ａ，７２Ｂと反発し合うように制御するため、吸着状態から吸着解除状態になったカルトン２２Ａ，２２Ｂを移動させることができる。したがって、硬貨が出金されたカルトン２２Ａ，２２Ｂを操作者に認識させることができる。このとき、反発力の方向をカルトン２２Ａ，２２Ｂの取り出し方向と一致させていることから、吸着解除状態になったカルトン２２Ａ，２２Ｂをその取り出し方向に移動させることができる。これにより、操作者はカルトン２２Ａ，２２Ｂの取り出しが容易になる。
【００９７】
また、処理機制御部９０が、出金口側磁石７３Ａ，７３Ｂを吸着状態から吸着解除状態に切り替える際に、出金口側磁石７３Ａ，７３Ｂの磁力を、出金口側磁石７３Ａ，７３Ｂに対向するカルトン側磁性体７２Ａ，７２Ｂを有するカルトン２２Ａ，２２Ｂへの硬貨出金部５０の硬貨出金量に応じて制御するため、例えば、出金量が多い場合に磁力を強くし、出金量が少ない場合に磁力を弱くすれば、カルトン２２Ａ，２２Ｂの移動量のバラツキを抑制することができる。
【００９８】
また、処理機本体２１に設けられたランプ８４Ａ，８４Ｂが、固定部７１による硬貨出金口３３への固定が解除されたカルトン２２Ａ，２２Ｂを告知するため、取り出し可能なカルトン２２Ａ，２２Ｂを操作者に認識させることができる。
【００９９】
また、硬貨出金口３３の載置部３５に設けられたコーティング層３７が、カルトン２２Ａ，２２Ｂとの摩擦を低減するため、操作者によるカルトン２２Ａ，２２Ｂの配置及び取り出しが容易となる。しかも、吸着解除状態になった出金口側磁石７３Ａ，７３Ｂを、カルトン２２Ａ，２２Ｂのカルトン側磁性体７２Ａ，７２Ｂと反発させると、小さな反発力でカルトン２２Ａ，２２Ｂを移動させることができる。
【０１００】
以上に述べた実施形態の貨幣処理機１０は、以下の変更が可能である。
【０１０１】
出金先切替部６１にかえて、例えば、図８（ａ）に示すように筒状のガイド１０１内に支持軸１０２を中心に揺動する振分板１０３を設けたものを用いることができる。これは、振分板１０３を支持軸１０２を中心に右側に揺動させることで左側のカルトンに硬貨を落下させ、振分板１０３を支持軸１０２を中心に左側に揺動させることで右側のカルトンに硬貨を落下させるものである。また、例えば、図８（ｂ）に示すように筒状のガイド１０５の一部を、それぞれが支持軸１０６を中心に揺動する左右一対の振分板１０７としたものを用いることができる。これは、右側の振分板１０７を支持軸１０６を中心に左側に揺動させることで左側のカルトンに硬貨を落下させ、左側の振分板１０７を支持軸１０６を中心に右側に揺動させることで右側のカルトンに硬貨を落下させるものである。
【０１０２】
図６に示すカルトン２２Ａの硬貨出金口３３へのセット時に壁部３６Ａに対向する側面及びカルトン２２Ｂの硬貨出金口３３へのセット時に壁部３６Ｂに対向する側面に、図９（ａ）に示すようにカルトン側磁性体７２Ａ，７２Ｂを設けても良い。また、図９（ｂ）に示すようにカルトン２２Ａ，２２Ｂの下面にカルトン側磁性体７２Ａ，７２Ｂを設けても良い。また、カルトン２２Ａの先端面、壁部３６Ａ側の面及び下面のうちの適宜の二つの面にカルトン側磁性体７２Ａを設けても良く、図９（ｃ）に示すように三つの面すべてにカルトン側磁性体７２Ａを設けても良い。同様に、カルトン２２Ｂの先端面、壁部３６Ｂ側の面及び下面のうちの適宜の二つの面にカルトン側磁性体７２Ｂを設けても良く、図９（ｃ）に示すように三つの面すべてにカルトン側磁性体７２Ｂを設けても良い。つまり、カルトン２２Ａの先端面、壁部３６Ａ側の面及び下面のうちの少なくとも一つの面にカルトン側磁性体７２Ａを設け、カルトン２２Ｂの先端面、壁部３６Ｂ側の面及び下面のうちの少なくとも一つの面にカルトン側磁性体７２Ｂを設ければ良い。例えば、カルトン側磁性体７２Ａ，７２Ｂを壁部３６Ａ，３６Ｂ側の面に設ければ、カルトン２２Ａ，２２Ｂを、図９（ａ）に示すように平面視矩形状とすることは勿論、図９（ｄ）に示すように硬貨出金口３３への挿入方向に長い平面視長穴状とすることも可能である。また、カルトン側磁性体７２Ａ，７２Ｂを下面に設ければ、図９（ｂ）に示すようにカルトン２２Ａ，２２Ｂを平面視矩形状とすることは勿論、図９（ｅ）に示すように平面視円形状としたり、平面視楕円状としたり、平面視長穴状とすることが可能であり、カルトン２２Ａ，２２Ｂの形状の自由度が大幅に高くなる。
【０１０３】
カルトン側磁性体７２Ａ，７２Ｂは、出金口側磁石７３Ａ，７３Ｂに吸着及び吸着解除可能であれば、磁化されていない鉄片等の磁性体であっても良い。この場合、電磁石からなる出金口側磁石７３Ａは、励磁されると、対向するカルトン側磁性体７２Ａを吸着する吸着状態となり、励磁が解除されると、対向するカルトン側磁性体７２Ａを、反発せず吸着不可な吸着解除状態となる。出金口側磁石７３Ｂも、励磁されると、対向するカルトン側磁性体７２Ｂを吸着する吸着状態となり、励磁が解除されると、対向するカルトン側磁性体７２Ｂを、反発せず吸着不可な吸着解除状態となる。
【０１０４】
カルトン側磁性体７２Ａ，７２Ｂが、磁化されていない磁性体である場合、出金口側磁石７３Ａ，７３Ｂは、カルトン側磁性体７２Ａ，７２Ｂを吸着及び吸着解除可能であれば良いことから、電磁石ではなく、永久磁石であっても良い。このように、出金口側磁石７３Ａ，７３Ｂを永久磁石とする場合、出金口側磁石７３Ａ，７３Ｂを移動させる機構を設けて、吸着時は出金口側磁石７３Ａ，７３Ｂをカルトン側磁性体７２Ａ，７２Ｂに近づけ、吸着解除時は出金口側磁石７３Ａ，７３Ｂをカルトン側磁性体７２Ａ，７２Ｂから離すようにしても良い。このように出金口側磁石７３Ａ，７３Ｂを永久磁石として移動させる場合に、カルトン側磁性体７２Ａ，７２Ｂを永久磁石として異極同士を対向させても良い。また、出金口側磁石７３Ａ，７３Ｂを永久磁石とし、これらを回転させる機構を設けて、永久磁石であるカルトン側磁性体７２Ａ，７２Ｂに対して、吸着時は異極同士を対向させて吸着力を発生させ、吸着解除時には同極同士を対向させて反発力を発生させても良い。
【０１０５】
固定部７１は、カルトン２２Ａ，２２Ｂを、磁力で硬貨出金口３３に固定したり、磁力で硬貨出金口３３から外部に向けて押し出すものに限定されるものではなく、磁力に代えて又は磁力に加えて、ロック部材をカルトンに係合させてカルトンを固定したり、ばね等でカルトンを外部に押し出すようにしても良い。
【０１０６】
一括回収処理において、カルトン２２Ａ，２２Ｂの両方の硬貨出金口３３への配置が検出されなくても、カルトン２２Ａ，２２Ｂのうちの一方である第１のカルトンの硬貨出金口３３への配置が検出されれば、この第１のカルトンを硬貨出金口３３に固定してこの第１のカルトンに硬貨を出金し、その間に、カルトン２２Ａ，２２Ｂの他方である第２のカルトンの硬貨出金口３３への配置を待つようにしても良い。そして、第２のカルトンの硬貨出金口３３への配置が検出されると、第２のカルトンを硬貨出金口３３に固定する。第１のカルトンに所定量の硬貨を収容させると、この第１のカルトンの固定を解除し、その際に、第２のカルトンが硬貨出金口３３に固定されていれば、第２のカルトンに硬貨を出金しつつ、第１のカルトンの取り出し及び再配置を待つ。そして、この再配置が検出されると、第１のカルトンを硬貨出金口３３に固定する。第２のカルトンに所定量の硬貨を収容させると、この第２のカルトンの固定を解除し、その際に、第１のカルトンが硬貨出金口３３に固定されていれば、第１のカルトンに硬貨を出金しつつ、第２のカルトンの取り出し及び再配置を待つ。このような処理を適宜繰り返すようにしても良い。
【０１０７】
また、一括回収処理において、カルトン２２Ａ，２２Ｂの両方の硬貨出金口３３への配置が検出されたことを条件に、これらカルトン２２Ａ，２２Ｂの両方を硬貨出金口３３へ固定し、カルトン２２Ａ，２２Ｂのうちの一方である第１のカルトンに硬貨を出金し、第１のカルトンに所定量の硬貨を収容させると、第１のカルトンの硬貨出金口３３への固定を解除しつつカルトン２２Ａ，２２Ｂの他方である第２のカルトンに硬貨を出金し、第２のカルトンに所定量の硬貨を収容させると、第２のカルトンの硬貨出金口３３への固定を解除し、第１のカルトン及び第２のカルトンの取り出し及び再配置を待つ。このような処理を適宜繰り返すようにしても良い。
【０１０８】
これらの一括回収処理の変更例においては、カルトン２２Ａ，２２Ｂの両方が同時に硬貨出金口３３に固定されている状態で、カルトン２２Ａ，２２Ｂのうち先に硬貨を収容した一方のカルトンの硬貨出金口３３への固定を解除すると、このカルトンが取り出し可能であることをランプ８４Ａ，８４Ｂのうちの対応する一方で告知し、次に硬貨を収容する他方のカルトンについては固定状態を維持して、固定状態にあることをランプ８４Ａ，８４Ｂのうちの対応する他方で告知する。
【０１０９】
ランプ８４Ａ，８４Ｂによるカルトン２２Ａ，２２Ｂの状態告知の形態は、上記に限られることなく種々の変更が可能である。また、消灯、二色の点灯及び二色の点滅以外にも、例えば、光量変更等を組み合わせ、これらの中から必要な変化を選択設定して告知するようにしても良い。
【０１１０】
また、カルトン２２Ａ，２２Ｂの状態を告知するランプ８４Ａ，８４Ｂは、機体前面２１ａの硬貨出金口３３の上方のカルトン２２Ａ，２２Ｂに対応する位置に設けられることが好ましいが、機体前面２１ａの硬貨出金口３３の下方のカルトン２２Ａ，２２Ｂに対応する位置に設けるようにしても良い。或いは、処理機本体２１の機体上面のカルトン２２Ａ，２２Ｂに対応する位置に設けても良く、処理機本体２１の機体上面のカルトン２２Ａ，２２Ｂに対応しない位置に対応関係を示す表示と共に設けても良い。また、窓口機１１Ａ，１１Ｂに設けても良い。更に、窓口機１１Ａ，１１Ｂの窓口機表示部１６や、処理機本体２１の処理機表示部２６に、カルトン２２Ａ，２２Ｂの状態を告知する図形や文字等を表示しても良い。更に、スピーカ等を設けて、カルトン２２Ａ，２２Ｂの状態を告知するようにしても良い。更に、これらのうちの適宜の複数を組み合わせても良い。
【０１１１】
載置部３５のカルトン２２Ａ，２２Ｂとの摩擦を低減する構成として、塗布により形成されるコーティング層３７以外にも、低摩擦シートを貼着したり、載置部３５の形状によりカルトン２２Ａ，２２Ｂへの接触面積を少なくしたり、載置部３５に回転可能な複数のローラやボールを設けたりすることができる。つまり、載置部３５の上面を、カルトン２２Ａ，２２Ｂが滑りやすい材質としたり、カルトン２２Ａ，２２Ｂが滑りやすい形状としたり、カルトン２２Ａ，２２Ｂを滑り易くする部材を配置したりすれば良い。
【０１１２】
一つの硬貨出金口３３に並べて配置されるカルトンの数は、複数であれば二つに限らず、三つ以上としても良い。この構成によって、複数の通常出金処理をまとめて行うことができ、作業性が良い。例えば、図１０（ａ）に示すように四つのカルトン２２ａ，２２ｂ，２２ｃ，２２ｄを一つの硬貨出金口３３に並べて配置可能することもできる。この場合、例えば、最も左側のカルトン２２ａを左側の窓口係員Ａの先の通常出金処理の出金先とし、左から二番目のカルトン２２ｂを左側の窓口係員Ａの後の通常出金処理の出金先とし、最も右側のカルトン２２ｄを右側の窓口係員Ｂの先の通常出金処理の出金先とし、右から二番目のカルトン２２ｃを右側の窓口係員Ｂの後の通常出金処理の出金先とすることができる。或いは、左から二番目のカルトン２２ｂを左側の窓口係員Ａの先の通常出金処理の出金先とし、最も左のカルトン２２ａを左側の窓口係員Ａの後の通常出金処理の出金先とし、右から二番目のカルトン２２ｃを右側の窓口係員Ｂの先の通常出金処理の出金先とし、最も右のカルトン２２ｄを右側の窓口係員Ｂの後の通常出金処理の出金先とすることもできる。このような出金先の順番を操作者が設定変更可能としても良い。
【０１１３】
また、図１０（ｂ）に示すように三つのカルトン２２ａ，２２ｂ，２２ｃを一つの硬貨出金口３３に並べて配置可能することもできる。この場合、通常出金処理時に中央のカルトン２２ｂは使用せずに、一括回収処理時に三つのカルトン２２ａ〜２２ｃを硬貨出金口３３に並べて配置したり、三つのカルトン２２ａ〜２２ｃを一方の窓口係員のみが使用可能な設定として、カルトン２２ａ〜２２ｃのうち、窓口係員に近い側から順に、最初の通常出金処理の出金先、次の通常出金処理の出金先、更に次の通常出金処理の出金先としたり、逆の順番にしたりすることができる。このような出金先の順番を操作者が設定変更可能としても良い。
【０１１４】
以上の変更を適宜組み合わせて上記実施形態を変更しても良い。
【０１１５】
実施形態の貨幣処理機１０は、硬貨の入出金を行い紙幣の入出金を行う貨幣入出金機であるが、カルトンに硬貨を出金するものであれば良い。例えば、硬貨の出金のみを行う硬貨出金機、硬貨の入出金のみを行う硬貨入出金機、紙幣及び硬貨の出金のみを行う貨幣出金機等であっても良い。
【符号の説明】
【０１１６】
２１  処理機本体（本体）
２２Ａ，２２Ｂ  カルトン
３３  硬貨出金口（出金口）
３５  載置部
３７  コーティング層（摩擦低減部）
５０  硬貨出金部（出金部）
７１  固定部
７２Ａ，７２Ｂ  カルトン側磁性体
７３Ａ，７３Ｂ  出金口側磁石
８４Ａ，８４Ｂ  ランプ（告知部）
９０  処理機制御部（制御部）
【図１】
0006552101.tif 000002
【図２】
0006552101.tif 000003
【図３】
0006552101.tif 000004
【図４】
0006552101.tif 000005
【図５】
0006552101.tif 000006
【図６】
0006552101.tif 000007
【図７】
0006552101.tif 000008
【図８】
0006552101.tif 000009
【図９】
0006552101.tif 000010
【図１０】
0006552101.tif 000011